(57)【要約】【課題】生産工程を簡略化することができる車両用空調装置を提供すること。【解決手段】制御回路を備えたコントローラ５と、該コントローラ５を制御するための制御プログラムが複数種書き込まれた制御ＲＯＭ６と、該制御ＲＯＭ６の前記制御プログラムを切り替えるスイッチ７とが設けられていることを特徴とする。【選択図】　　　図１
2004009937.tif 000002
【特許請求の範囲】
【請求項１】
制御回路を備えたコントローラと、該コントローラを制御するための制御プログラムが複数種書き込まれた制御ＲＯＭと、該制御ＲＯＭの前記制御プログラムを切り替えるスイッチとが設けられていることを特徴とする車両用空調装置。
【請求項２】
請求項１に記載の車両用空調装置において、
前記コントローラが、車両に搭載された他の機器のコントローラと統合されていることを特徴とする車両用空調装置。
【請求項３】
請求項１または２に記載の車両用空調装置において、
前記スイッチの状態が、車両に搭載された他の機器から参照されることを特徴とする車両用空調装置。
【発明の詳細な説明】
【０００１】
【発明の属する技術分野】
本発明は、車両の空気調和を行う車両用空調装置に関する。
【０００２】
【従来の技術】
図３は従来のエアコン（以下Ａ／Ｃと呼ぶ）コントローラと、車両に搭載された他の機器（例えばエンジン制御ユニットなど）との関係を示したブロック図である。Ａ／Ｃコントローラ１は他機器２と接続されている。Ａ／Ｃコントローラ１は制御ＲＯＭ３を備えている。この制御ＲＯＭ３には、Ａ／Ｃコントローラ１専用の制御プログラム（制御マップ）が書き込まれている。
【０００３】
【発明が解決しようとする課題】
従来においては、Ａ／Ｃコントローラ１には、空調装置の仕様の違い（搭載される車両の違い）や、仕向地によって異なる制御ＲＯＭ３が装着されている。すなわち、予め仕様の違いによって異なる制御ＲＯＭ３を作成しておき、製造時に搭載される車両の種類、仕向地に応じて適切な制御ＲＯＭ３を装着している。これによって、搭載される車両の大きさなどの違いや、出荷される地域の気候の違いに応じて、適切な空調を行うことができる。
【０００４】
しかし、Ａ／Ｃコントローラ１の仕様が多いため、制御ＲＯＭ３もそれにあわせて他種類を用意する必要があり、生産工程が煩雑である。さらに、Ａ／Ｃコントローラ１と車両の制御用など他機器のコントローラとを統合する場合、コントローラの種類は、（Ａ／Ｃの種別）×（他機器の種別）となってしまい、さらに種別が多くなってしまうという問題があった。
【０００５】
本発明は上記事情に鑑みて成されたものであり、生産工程を簡略化することができる車両用空調装置を提供することを目的とする。
【０００６】
【課題を解決するための手段】
請求項１に記載の発明は、制御回路を備えたコントローラと、該コントローラを制御するための制御プログラムが複数種書き込まれた制御ＲＯＭと、該制御ＲＯＭの前記制御プログラムを切り替えるスイッチとが設けられていることを特徴とする。
【０００７】
この発明においては一つの制御ＲＯＭに複数種の制御プログラムが書き込まれており、空調装置の仕様、仕向地等に合わせてスイッチを切り替えることで、適切な制御プログラムを機能させることができる。
【０００８】
請求項２に記載の発明は、請求項１に記載の車両用空調装置において、前記コントローラが、車両に搭載された他の機器のコントローラと統合されていることを特徴とする。
【０００９】
この発明においては、空調装置のコントローラと他の機器のコントローラとが統合された場合でも、制御ＲＯＭは１種類であるから、統合によって統合後のコントローラの種類がさらに増加してしまうことが避けられる。
【００１０】
請求項３に記載の発明は、請求項１または２に記載の車両用空調装置において、前記スイッチの状態が、車両に搭載された他の機器から参照されることを特徴とする。
【００１１】
この発明においては、スイッチが空調装置のみならず他の機器においても参照されることで、その情報が他の機器の制御に利用される。例えば、他機器の例としてエンジン制御コントローラを挙げることができる。エンジン制御コントローラがＡ／Ｃの仕様に応じて異なるエンジン制御を行う場合に、スイッチの状態がエンジン制御コントローラに参照され、これに基づいてＡ／Ｃの仕様を判定し、適切なエンジン制御を行うことができる。この場合、エンジン制御コントローラにおいても、搭載されるＡ／Ｃの仕様に応じた異なる制御ＲＯＭを持つ必要がなくなる。
他の機器においてＡ／Ｃのスイッチを参照するその他の例としては、ラジエータファンの制御、カーナビゲーションシステムなどのモニタへのＡ／Ｃの表示などが考えられる。また、Ａ／Ｃが持っているセンサ（車室内温センサ、外気温センサ、日射センサ、圧力センサなど）の出力を参照する機器が出てくれば、それらも対象となる。例えば、Ａ／Ｃの仕様によってはいくつか出力がないセンサを持つ場合もあるため、他機器が出力を参照し出力がなかった場合、スイッチの状態を参照することにより、そのＡ／Ｃの故障のために出力されていないのか、もともとセンサが搭載されていないＡ／Ｃなのかを判断することができる。
【００１２】
【発明の実施の形態】
次に、本発明の実施形態について、図面を参照して説明する。
図１は本実施形態の車両用空調装置に設けられたＡ／Ｃコントローラと他の機器との関係を示したブロック図である。Ａ／Ｃコントローラ５は他機器２と接続されている。Ａ／Ｃコントローラ５は制御プログラムが書き込まれた制御ＲＯＭ６を備えている。図２に示すように、この制御ＲＯＭ６には車両用空調装置の仕様に応じた複数の制御プログラム８が書き込まれている。この制御プログラム８は、同じくＡ／Ｃコントローラ５が備えるディップスイッチ７によって切換可能となっている。
【００１３】
すなわち、制御ＲＯＭ６には予め複数種の制御プログラム８が書き込まれており、制御ＲＯＭ６をＡ／Ｃコントローラ５に装着する際に、制御ＲＯＭ６から空調装置の仕様に合った制御プログラムが選択されるようにディップスイッチ７を切り替える。
例えば、制御ＲＯＭ６に書き込まれたプログラム８の中の、プログラム８−１がＡという種類の車両の空調を行うプログラムであり、プログラム８−２がＢという種類の車両の空調を行うプログラムであるとすると、制御ＲＯＭ６に書き込まれたプログラム８−１とプログラム８−２とのどちらを作動させるかを、ディップスイッチ７によって切り替える。すなわち、空調装置が車種Ａに搭載されるのであれば、プログラム８−１が選択されるようにディップスイッチ７を合わせ、空調装置が車種Ｂに搭載されるのであれば、プログラム８−２が選択されるようにディップスイッチ７を合わせる。
同様に、例えば、車種は同じでも仕向地が異なり、それによって制御プログラムも変える場合や、空調装置自体の種類が異なり、それによって制御プログラムも変える必要がある場合にも、ディップスイッチ７を切り替えて制御ＲＯＭ６内に書き込まれたプログラム８の中から適切なプログラム８が選択されるようにすることができる。
【００１４】
このように構成されていることにより、制御ＲＯＭ６は１種類だけでよく、車両や仕向地ごとに異なる制御ＲＯＭを用意する必要がない。このため生産効率が向上すると共に他種類の補用品を保管する必要もなくなる。
また、他機器のコントローラとＡ／Ｃコントローラとを統合したコントローラの基板に制御ＲＯＭを設ける場合であっても、基板の種類が増加することもない。
さらにまた、ユーザがディップスイッチを変更するようにしてもよい。これによれば、ユーザの好みに応じて制御内容のカスタマイズを容易に行うことができる。
【００１５】
さらに、他機器２からディップスイッチ７の状態を得ることで、車両の種類、仕向地等の情報を得ることができる。これを用いて他機器における制御方法を変えるようにすることができる。例えば、他機器の例としてエンジン制御コントローラを挙げることができる。エンジン制御コントローラが車種に応じて異なるエンジン制御を行う場合に、スイッチの状態がエンジン制御コントローラに参照され、これに基づいて車種が判定されて適切なエンジン制御を行うことができる。この場合、エンジン制御コントローラにおいても、搭載される車種に応じた異なる制御ＲＯＭを持つ必要がなくなる。
【００１６】
【発明の効果】
以上説明したように、本発明の車両用空調装置においては、以下の効果を得ることができる。
請求項１に記載の発明によれば、一つの制御ＲＯＭに複数種の制御プログラムが書き込まれており、空調装置の仕様、仕向地等に合わせてスイッチを切り替えることで、適切な制御プログラムを機能させることができる。したがって制御ＲＯＭは１種類だけでよく、車両や仕向地ごとに異なる制御ＲＯＭを用意する必要がない。このため生産効率を向上させることができる。
請求項２に記載の発明によれば、制御ＲＯＭが他の機器のコントローラに搭載された場合でも、制御ＲＯＭの種別は一つでよいから、統合されたコントローラの種類がさらに多くなることが防止される。
請求項３に記載の発明によれば、スイッチが空調装置のみならず他の機器においても参照されることで、その情報を他の機器の制御に利用することができる。
【図面の簡単な説明】
【図１】本発明の一実施形態として示した車両用空調装置におけるＡ／Ｃコントローラと他機器との関係を示したブロック図である。
【図２】同Ａ／Ｃコントローラに用いられる制御ＲＯＭについて示した図である。
【図３】従来の両用空調装置におけるＡ／Ｃコントローラと他機器との関係を示したブロック図である。
【符号の説明】
５　Ａ／Ｃコントローラ
６　制御ＲＯＭ
７　ディップスイッチ（スイッチ）
８　制御プログラム
【図１】
2004009937.tif 000003
【図２】
2004009937.tif 000004
【図３】
2004009937.tif 000005